(57)【要約】      （修正有）【課題】従来の地相及び家相による判断法則を改良する。【解決手段】家の土地及び建物の位置や方位から地相と家相を判断する方法において、８つの方位それぞれに宿る運勢をあらわす八方位運勢区分と、土地が南側の女系継承ゾーン・中間のワンマンゾーン・北側の男系継承ゾーンの三分割されている継承ゾーン区分と、土地及び家の方角によって先祖の人々それぞれのゾーンが決められている先祖区分と、現世に存在している家族それぞれの象徴が決められている家族区分と、将来生まれてくる子どものポジションが決められている子孫区分と、人の一生ヲ計るものさしの目盛りが年齢となる年齢区分とから構成されている。【選択図】なし【特許請求の範囲】
【請求項１】
家の土地及び建物の位置や方位から地相と家相を判断する方法において、８つの方位それぞれに宿る運勢をあらわす八方位運勢区分と、土地が南側の女系継承ゾーン・中間のワンマンゾーン・北側の男系継承ゾーンの三分割されている継承ゾーン区分と、土地及び家の方角によって先祖の人々それぞれのゾーンが決められている先祖区分と、現世に存在している家族それぞれの象徴が決められている家族区分と、将来生まれてくる子どものポジションが決められている子孫区分と、人の一生ヲ計るものさしの目盛りが年齢となる年齢区分と、から構成されていることを特徴とする栄える地相・家相の判断法則。
【請求項２】
前項記載の判断法則において、祖母の区分が欠けている先祖区分と長女の区分が欠けている家族区分と妻の区分が欠けている子孫区分と前期の区分が欠けている年齢区分となる請求項１記載の栄える地相・家相の判断法則。
【請求項３】
請求項１記載の判断法則において、土地及び家の方位と家の玄関位置・欠け張り・水まわり・廊下・塀等の位置とにより栄えるかどいうかが決る請求項１及び２記載の栄える地相・家相の判断法則。
【請求項４】
請求項１記載の判断法則において、東に玄関がある家は再生にかける力・華新性・リフレッシュ・心機一転などの能力が宿り、北東に玄関がある家は東から昇る朝日に希望を託したり北があらわす忍従や信用を確立する願いが込められ、北に玄関がある家は夫に異母兄弟がいたとしても夫が後妻のひいきによって恩恵を受けて家を継ぐ立場にあり、北西に玄関がある家は祖父代で子どもたちの育成環境が破壊されていることを示し、南東に玄関がある家は夫みずからの血系で男権父権を擁立することは難しく入婿となって子孫を残すようにすれば繁栄が保たれ、南に玄関がある家は女系の二代目で母から娘へと伝えられていくことを示し、南西に玄関がある家は妻と第三子までを排斥するなんらかの作用が働き母性本能が封印されて慈愛というものから遠ざかる傾向にあり、西に玄関がある家は夫婦の生家の祖父母代からそれぞれがたどってきた道を是正する、家族構成になる請求項３記載の栄える地相・家相の判断法則。
【発明の詳細な説明】
【技術分野】
【０００１】
本発明は土地や家の方位などから判断する方法に関するが、詳しくは栄える地相・家相の判断方法に関するものである。
【背景技術】
【０００２】
地相や家相の判断方法には従来から種々の方法が開発されており、その内容は多くの出版物で市販化されている。これらの従来方法による地相や家相の判断方法は、方位・玄関・欠け張り・水まわり・廊下・塀など位置により判断するものが一般的であった。
【発明の開示】
【発明が解決しようとする課題】
【０００３】
このような従来公知に基づく判断方法を、より科学的な根拠に基づき土地や家を判断する方法にするところに、本発明が解決しようとする課題を有する。
【課題を解決するための手段】
【０００４】
本発明は上記の如き課題を解決するために開発したものであって、家の土地及び建物の位置や方位から地相と家相を判断する方法において、８つの方位それぞれに宿る運勢をあらわす八方位運勢区分と、土地が南側の女系継承ゾーン・中間のワンマンゾーン・北側の男系継承ゾーンの三分割されている継承ゾーン区分と、土地及び家の方角によって先祖の人々それぞれのゾーンが決められている先祖区分と、現世に存在している家族それぞれの象徴が決められている家族区分と、将来生まれてくる子どものポジションが決められている子孫区分と、人の一生ヲ計るものさしの目盛りが年齢となる年齢区分と、から構成されていることを特徴とする栄える地相・家相の判断法則の提供にあり、また前記の判断法則において祖母の区分が欠けている先祖区分と長女の区分が欠けている家族区分と妻の区分が欠けている子孫区分と前期の区分が欠けている年齢区分となる栄える地相・家相の判断法則の提供にあり、また前記の判断法則において土地及び家の方位と家の玄関位置・欠け張り・水まわり・廊下・塀等の位置とにより栄えるかどいうかが決る栄える地相・家相の判断法則の提供にあり、更に前記の判断法則において東に玄関がある家は再生にかける力・華新性・リフレッシュ・心機一転などの能力が宿り、北東に玄関がある家は東から昇る朝日に希望を託したり北があらわす忍従や信用を確立する願いが込められ、北に玄関がある家は夫に異母兄弟がいたとしても夫が後妻のひいきによって恩恵を受けて家を継ぐ立場にあり、北西に玄関がある家は祖父代で子どもたちの育成環境が破壊されていることを示し、南東に玄関がある家は夫みずからの血系で男権父権を擁立することは難しく入婿となって子孫を残すようにすれば繁栄が保たれ、南に玄関がある家は女系の二代目で母から娘へと伝えられていくことを示し、南西に玄関がある家は妻と第三子までを排斥するなんらかの作用が働き母性本能が封印されて慈愛というものから遠ざかる傾向にあり、西に玄関がある家は夫婦の生家の祖父母代からそれぞれがたどってきた道を是正する家族構成になる栄える地相・家相の判断法則の提供にある。
【発明の効果】
【０００５】
本発明は、家の土地及び建物の位置や方位から地相と家相を判断する方法において、８つの方位それぞれに宿る運勢をあらわす八方位運勢区分と、土地が南側の女系継承ゾーン・中間のワンマンゾーン・北側の男系継承ゾーンの三分割されている継承ゾーン区分と、土地及び家の方角によって先祖の人々それぞれのゾーンが決められている先祖区分と、現世に存在している家族それぞれの象徴が決められている家族区分と、将来生まれてくる子どものポジションが決められている子孫区分と、人の一生ヲ計るものさしの目盛りが年齢となる年齢区分と、から構成されていることを特徴とする栄える地相・家相の判断法則であり、また前記の判断法則において祖母の区分が欠けている先祖区分と長女の区分が欠けている家族区分と妻の区分が欠けている子孫区分と前期の区分が欠けている年齢区分となる栄える地相・家相の判断法則であり、また前記の判断法則において土地及び家の方位と家の玄関位置・欠け張り・水まわり・廊下・塀等の位置とにより栄えるかどいうかが決る栄える地相・家相の判断法則であり、更に前記の判断法則において東に玄関がある家は再生にかける力・華新性・リフレッシュ・心機一転などの能力が宿り、北東に玄関がある家は東から昇る朝日に希望を託したり北があらわす忍従や信用を確立する願いが込められ、北に玄関がある家は夫に異母兄弟がいたとしても夫が後妻のひいきによって恩恵を受けて家を継ぐ立場にあり、北西に玄関がある家は祖父代で子どもたちの育成環境が破壊されていることを示し、南東に玄関がある家は夫みずからの血系で男権父権を擁立することは難しく入婿となって子孫を残すようにすれば繁栄が保たれ、南に玄関がある家は女系の二代目で母から娘へと伝えられていくことを示し、南西に玄関がある家は妻と第三子までを排斥するなんらかの作用が働き母性本能が封印されて慈愛というものから遠ざかる傾向にあり、西に玄関がある家は夫婦の生家の祖父母代からそれぞれがたどってきた道を是正する家族構成になる栄える地相・家相の判断法則であるから、土地や家の区分に分け各面がいくつもの運勢を複合して象徴していることを示すものである。すなわち、家の一局部が先祖から子孫までの運勢を如実に告げるものである。
【発明を実施するための最良の形態】
【０００６】
本発明の最良な実施形態は、家の土地及び建物の位置や方位から地相と家相を判断する方法において８つの方位それぞれに宿る運勢をあらわす八方位運勢区分と、土地が南側の女系継承ゾーン・中間のワンマンゾーン・北側の男系継承ゾーンの三分割されている継承ゾーン区分と、土地及び家の方角によって先祖の人々それぞれのゾーンが決められている先祖区分と、現世に存在している家族それぞれの象徴が決められている家族区分と、将来生まれてくる子どものポジションが決められている子孫区分と、人の一生ヲ計るものさしの目盛りが年齢となる年齢区分とから構成されていることを特徴とする栄える地相・家相の判断法則であり、また前記の判断法則において祖母の区分が欠けている先祖区分と長女の区分が欠けている家族区分と妻の区分が欠けている子孫区分と前期の区分が欠けている年齢区分となる栄える地相・家相の判断法則であり、また前記の判断法則において土地及び家の方位と家の玄関位置・欠け張り・水まわり・廊下・塀等の位置とにより栄えるかどいうかが決る栄える地相・家相の判断法則であり、更に前記の判断法則において東に玄関がある家は再生にかける力・華新性・リフレッシュ・心機一転などの能力が宿り、北東に玄関がある家は東から昇る朝日に希望を託したり北があらわす忍従や信用を確立する願いが込められ、北に玄関がある家は夫に異母兄弟がいたとしても夫が後妻のひいきによって恩恵を受けて家を継ぐ立場にあり、北西に玄関がある家は祖父代で子どもたちの育成環境が破壊されていることを示し、南東に玄関がある家は夫みずからの血系で男権父権を擁立することは難しく入婿となって子孫を残すようにすれば繁栄が保たれ、南に玄関がある家は女系の二代目で母から娘へと伝えられていくことを示し、南西に玄関がある家は妻と第三子までを排斥するなんらかの作用が働き母性本能が封印されて慈愛というものから遠ざかる傾向にあり、西に玄関がある家は夫婦の生家の祖父母代からそれぞれがたどってきた道を是正する家族構成になる栄える地相・家相の判断法則であるから、従来の地相及び家相による判断よりも科学的といえる。
【実施例１】
【０００７】
以下、本発明の法則について説明する。
まず、本発明の土地と家の大原則を示すことにする。
八方位運勢区分：八つの方位それぞれに宿る運勢を表す
【０００８】
【表１】
2008282242.tif 000002
継承ゾーン区分：南側を女系継承ゾーン，中間を「ワンマンゾーン」，北側を「男系継承                ゾーン」と呼ぶ）
【０００９】
【表２】
2008282242.tif 000003
先祖区分：土地にも家にも方角によって先祖のゾーンが決まっている。
【００１０】
【表３】
2008282242.tif 000004
家族区分：現世に存在している家族それぞれにも象徴するゾーンが決められている。
【００１１】
【表４】
2008282242.tif 000005
子孫区分：将来生まれてくる子ども、そして孫のポジションが決まっている。
【００１２】
【表５】
2008282242.tif 000006
年齢区分：土地や家は人の一生を計るものさしのようなものである。
【００１３】
【表６】
2008282242.tif 000007
ついで、前記大原則から複合して考えるための一例を説明する。
【００１４】
【表７】
2008282242.tif 000008
【００１５】
【表８】
2008282242.tif 000009
【００１６】
【表９】
2008282242.tif 000010
更に、大原則から次のような説明を判断することができる。
（１）土地や家の四辺は東西南北にまっすぐ向いている方が吉
（２）まず土地全体を見てから家や部屋の形状など順を追って複合に判断
（３）向かって右が西で左が東で下が北となり南が上
（４）家庭を実質的に司る人は「東南・南・南西」では女性「北東・北・北西」では男性（５）胎内に生命を宿しながら生をまっとうできなかった魂も現世の人間と同等のポジシ      ョンがある。
（６）あくまで土地と家そして先祖の魂がかかわる「要素・暗示・象徴」があることを教      える。
【００１７】
このように土地や家には魂が宿っており、家は繁栄と衰退をくりかえし、それは代々続く名門も例外ではない。例えば、表１０に示す徳川家の家系図からも明らかである。
【００１８】
【表１０】
2008282242.tif 000011
そこで、栄える家や理想の家づくりの究極は表１１に示すような「黄金比」にある。
【００１９】
【表１１】
2008282242.tif 000012